【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
第一駆動面を有する第一レールと、
第二駆動面を有して、第一レールと角度をなして配向された第二レールとから成るデータストレージライブラリにおいて、
第一駆動面の長手軸が第一位置にあり、第二駆動面の長手軸が、第一駆動面の長手軸と第二駆動面の長手軸に垂直な、垂直軸上の第二位置にあることを特徴とする
データストレージライブラリ。
【請求項２】
第一レールと第二レールとの角度は約９０度であることを特徴とする請求項１に記載のデータストレージライブラリ。
【請求項３】
駆動面を有して、第一レールと角度をなして配向された複数の他のレールをさらに配備し、
第一駆動面の長手軸が第一位置にあり、他のレールの駆動面の長手軸が、第一駆動面の長手軸と他の駆動面の長手軸に垂直な、他の垂直軸上の第二位置にあることを特徴とする、
請求項１に記載のデータストレージライブラリ。
【請求項４】
第一レールの第一駆動面と係合して、アクセッサを第一レールに沿って移動させ、また、第二レールの第二駆動面と係合して、アクセッサを第二レールに沿って移動させるように構成された駆動機構と、
駆動機構を垂直軸に沿って移動するように構成された切換機構とから成るアクセッサをさらに具備し、切換機構は駆動機構を垂直軸上の第一位置に配置して、駆動機構を第一レールの第一駆動面と係合させ、また、駆動機構を垂直軸上の第二位置に配置して、駆動機構を第二レールの第二駆動面と係合させることを特徴とする請求項１に記載のデータストレージライブラリ。
【請求項５】
第一レールの両側と第二レールの両側にアクセッサによりアクセス可能なストレージシェルフをさらに具備することを特徴とする請求項４に記載のデータストレージライブラリ。
【請求項６】
アクセッサが第一レールに沿って移動する際にこれをガイドするよう第一レールのガイドスロットと係合し、また、アクセッサが第二レールに沿って移動する際にこれをガイドするよう第二レールのガイドスロットと係合するように構成されたガイドホイールをさらに具備することを特徴とする請求項４に記載のデータストレージライブラリ。
【請求項７】
第一レールのガイドスロットは、第一レールのガイドスロットからガイドホイールを係脱し、第二レールのガイドスロットと係合させる開口を有することを特徴とする請求項６に記載のデータストレージライブラリ。
【請求項８】
切換機構が駆動機構とともにガイドホイールを運動させるよう構成されていることにより、切換機構が垂直軸上の第一位置に駆動機構を配置すると、切換機構は第一レールのガイドスロットにおけるガイドホイールと係合することを特徴とする請求項６に記載のデータストレージライブラリ。
【請求項９】
切換機構が駆動機構とともにガイドホイールを運動させるよう構成されていることにより、切換機構が垂直軸上の第二位置に駆動機構を配置すると、切換機構は第二レールのガイドスロットにおけるガイドホイールと係合することを特徴とする請求項８に記載のデータストレージライブラリ。
【請求項１０】
第一駆動面を有する第一水平レールと、
第二駆動面を有して、第一水平レールと角度をなして配向された第二水平レールと、
ここで、第一水平レールの第一駆動面の垂直位置は、第二水平レールの第二駆動面の垂直位置よりも高くなっており、
アクセッサとから成る
データストレージライブラリにおいて、
該アクセッサは、第一水平レールの第一駆動面と係合して、アクセッサを第一水平レールに沿って移動させ、また、第二水平レールの第二駆動面と係合して、アクセッサを第二水平レールに沿って移動させるように構成された駆動機構と、
駆動機構を垂直に移動するように構成された切換機構とから成り、ここで、該切換機構は駆動機構を第一垂直位置に配置して、駆動機構を第一水平レールの第一駆動面と係合させ、また、駆動機構を第二垂直位置に配置して、駆動機構を第二水平レールの第二駆動面と係合させることを特徴とする
データストレージライブラリ。
【請求項１１】
第一水平レールと角度をなして配向された、駆動面を有する複数の他の水平レールをさらに配備したデータストレージライブラリにおいて、
第一水平レールの第一駆動面の垂直位置は、他の水平レールの駆動面の垂直位置よりも高くなっており、また、
駆動機構は、他の水平レールの駆動面と係合して、アクセッサを他の水平レールに沿って移動させるように構成されており、また、
切換機構は駆動機構を第一垂直位置に配置して、駆動機構を第一水平レールの第一駆動面と係合させ、また、駆動機構を他の垂直位置に配置して、駆動機構を他の水平レールの駆動面と係合させることを特徴とする請求項１０に記載のデータストレージライブラリ。
【請求項１２】
第一水平レールと他の水平レールとの角度は約９０度であることを特徴とする請求項１１に記載のデータストレージライブラリ。
【請求項１３】
第一レールと、
第一レールに沿う異なるポイントで第一レールと当接する３つ以上の他のレールとを配備しており、該他のレールのそれぞれが第一レールと角度をなして配向されていることを特徴とする
データストレージライブラリ。
【請求項１４】
第一レールと他のレールとの角度は約９０度であることを特徴とする請求項１３に記載のデータストレージライブラリ。
【請求項１５】
レールの各々に沿って移動するように構成されている複数のアクセッサをさらに具備し、該アクセッサの各々はさらに、第一レールから他のレールに切換を行うように構成されていることを特徴とする請求項１３に記載のデータストレージライブラリ。
【請求項１６】
他のレールの両側に配置された複数のストレージシェルフをさらに具備し、該ストレージシェルフ各々にアクセッサがアクセス可能であることを特徴とする請求項１５に記載のデータストレージライブラリ。
【請求項１７】
第一レールの第一駆動面と係合して、アクセッサを第一レールに沿って移動させ、また、第一レールと角度をなして配向された第二レールの第二駆動面と係合して、アクセッサを第二レールに沿って移動させるように構成された駆動機構と、
駆動機構を軸上の第一位置に配置して、駆動機構を第一レールの第一駆動面と係合させ、また、駆動機構を軸上の第二位置に配置して、駆動機構を第二レールの第二駆動面と係合させる切換機構である、第一レールと第二レールに垂直な軸に沿って駆動機構を移動させるように構成された切換機構とを具備すること特徴とする
データストレージライブラリのアクセッサ。
【請求項１８】
第一水平レールの第一ラックと係合して、アクセッサを第一水平レールに沿って移動させ、また、第一水平レールと角度をなして配向された第二水平レールの第二ラックと係合して、アクセッサを第二水平レールに沿って移動させるように構成されたピニオン機構と、
ピニオン機構を軸上の第一位置に配置して、ピニオン機構を第一水平レールの第一ラックと係合させ、また、ピニオン機構を軸上の第二位置に配置して、ピニオン機構と第二水平レールの第二ラックと係合させる切換機構である、第一水平レールおよび第二水平レールに垂直な軸に沿ってピニオン機構を移動させるように構成された切換機構とから成ることを特徴とする
データストレージライブラリのアクセッサ。
【請求項１９】
第一水平レールの第一ラックと係合して、第一水平レールに沿ってアクセッサを移動させ、また、第一水平レールとほぼ直角に配向された第二水平レールの第二ラックと係合して、第二水平レールに沿ってアクセッサを移動させるように構成されたピニオン機構と、
ピニオン機構を軸上の第一位置に配置して、ピニオン機構を第一水平レールの第一ラックと係合させ、また、ピニオン機構を軸上の第二位置に配置して、ピニオン機構と第二水平レールの第二ラックと係合させる切換機構である、第一水平レールおよび第二水平レールに垂直な軸に沿ってピニオン機構を移動させるように構成された切換機構と、
アクセッサが第一水平レールに沿って移動する際にこれをガイドするよう第一水平レールの第一ガイドスロットと係合し、また、アクセッサが第二水平レールに沿って移動する際にこれをガイドするよう第二水平レールの第二ガイドスロットと係合するように構成されたガイドホイールとから成る
データストレージライブラリのアクセッサ。